(57)【要約】【課題】作業性に優れると共に、係止金具およびアンカー部材の挿入部位を正確に位置決めすることができる壁パネル取付用係止金具の挿入用治具を提供する。【解決手段】壁パネルに形成した挿入孔に対し係止金具を挿入するために使用する治具１０であって、係止金具の外形に合致した形状の中空部１６を有し、係止金具を外側から把持するソケット部１１と、このソケット部１１の下方へ開口するように対称して設けられた一対の切り欠き部１２とからなり、各切り欠き部１２の上方にはこの切り欠き部１２の位置を示す目印１３が設けられていることを特徴とする壁パネル取付用係止金具の挿入用治具。【選択図】図１
2006299590.tif 000002
【特許請求の範囲】
【請求項１】
壁パネルの小口面からその面と垂直方向に設けられた長孔に棒状のアンカー部材を、また壁パネルの室内側表面から前記長孔と直交する方向に設けられた挿入孔に長ナット状の係止金具をそれぞれ挿入し、前記係止金具の直径方向に設けられた貫通孔に前記アンカー部材を挿入することにより、壁パネルの内部で前記アンカー部材と係止金具とを直交配置すると共に、前記係止金具に取付部材を介してボルトを螺合してなる壁パネルの取付構造において、
前記挿入孔に対し前記係止金具を挿入するために使用する治具であって、前記係止金具の外形に合致した形状の中空部を有し、前記係止金具を外側から把持するソケット部と、このソケット部の下方へ開口するように対称して設けられた一対の切り欠き部とからなり、前記各切り欠き部の上方にはこの切り欠き部の位置を示す目印が設けられていることを特徴とする壁パネル取付用係止金具の挿入用治具。
【請求項２】
前記ソケット部の下方端部に、外側へ向けて延出する延出部が設けられていることを特徴とする請求項１に記載の壁パネル取付用係止金具の挿入用治具。
【請求項３】
前記ソケット部の内壁面に、挿入された係止金具の把持を確実にするための突起部が設けられていることを特徴とする請求項１または２に記載の壁パネル取付用係止金具の挿入用治具。
【請求項４】
前記ソケット部に、軸部を介してハンドル部が設けられていることを特徴とする請求項１〜３のいずれか１項に記載の壁パネル取付用係止金具の挿入用治具。
【請求項５】
壁パネルの小口面からその面と垂直方向に設けられた長孔に棒状のアンカー部材を、また壁パネルの室内側表面から前記長孔と直交する方向に設けられた挿入孔に長ナット状の係止金具をそれぞれ挿入し、前記係止金具の直径方向に設けられた貫通孔に前記アンカー部材を挿入することにより、壁パネルの内部で前記アンカー部材と係止金具とを直交配置すると共に、前記係止金具に取付部材を介してボルトを螺合してなる壁パネルの取付構造を構成する際に、
まず請求項１〜４のいずれか１項に記載の挿入用治具のソケット部で前記係止金具を把持した状態で、この挿入用治具の切り欠き部と前記係止金具の貫通孔とが壁パネル小口面の長辺と平行になるように、前記係止金具を前記挿入孔内に配置し、次いで前記アンカー部材を前記長孔内へ挿入することにより、前記係止金具の貫通孔に前記アンカー部材を貫通させた後、前記挿入用治具を前記挿入孔から引き抜き、さらに前記壁パネルの室内側表面から、取付部材を介して前記係止金具の貫通孔にボルトを締め込むことを特徴とする壁パネルへの係止金具の取付方法。
【発明の詳細な説明】
【技術分野】
【０００１】
本発明は、建物の躯体に取付ける壁パネル取付構造を構成するために使用する壁パネル取付用係止金具の挿入用治具およびこの治具を用いた壁パネルへの係止金具の取付方法に関するものである。
さらに詳しくは、作業性に優れるとともに、係止金具およびアンカー部材の挿入部位を正確に位置決めすることができる壁パネル取付用係止金具の挿入用治具およびこの治具を用いて壁パネル内へ係止金具を効率的に取り付ける方法に関するものである。
【背景技術】
【０００２】
軽量気泡コンクリートパネル（ＡＬＣパネル）などの壁パネルの建物躯体への取付構造としては、建物躯体のフランジ部に固着した上部アングルと下部アングルからなる取付金具により、外部から壁パネルを支持する構造が一般的であった。
しかし、この取付構造は溶接やモルタル補修などの手間を要するとともに、壁パネルに形成した貫通孔により外観が著しく阻害されるため、近年では、壁パネルの内部に埋設したアンカー部材と取付金具とを連結固定し、この取付金具を建物躯体に固定する取付構造（例えば、特許文献１および２参照）が主として採用されている。
【０００３】
すなわち、この従来の取付構造は、図５に示すように、壁パネルＰの小口面Ｐ１から長孔１を形成するとともに、壁パネルＰの室内側表面Ｐ２から長孔１と直交する方向に挿入孔３を形成しておき、長孔１に棒状または管状のアンカー部材２を、また挿入孔３に長ナット状の係止金具４をそれぞれ挿入し、係止金具４の直径方向に設けられた貫通孔５にアンカー部材２を挿入することにより、壁パネルＰの内部でアンカー部材２と係止金具４とを直交配置し、さらに、係止金具４のボルト孔６に、イナズマプレートなどの取付部材７を介してボルト８を螺合してから、最後に取付部材７を建物躯体に係止固定することにより構成されたものである。
【０００４】
この取付構造によれば、建物の外側となる壁パネルの表面に孔を空ける必要がないため、その孔をモルタルで埋め戻した跡により表面外観が阻害されたり、埋め戻し部の隙間から雨水が侵入したりすることがないという利点が得られる。
また、壁パネルを建物躯体に係止固定する施工現場においてアンカー部材を取り付けることができるため、アンカー部材の位置変更が容易になることなどの施工上の優位性も得られていた。
【０００５】
ところで、上記従来の取付構造を形成するには、図６〜図１０に示す手順を必要としていた。
すなわち、図６に示すように、まず壁パネルＰの小口面Ｐ１からその面と垂直方向に長孔１を、また壁パネルＰの室内側表面Ｐ２から長孔１と直交する方向に挿入孔３を、それぞれ形成する。
【０００６】
次に、図７に示すように、壁パネルＰの長孔１に、棒状あるいは管状の鋼材からなるアンカー部材２を挿入するとともに、壁パネルＰの挿入孔３に、長ナット状の係止金具４をそれぞれ挿入する。
ここで、係止金具４はその直径方向に貫通孔５が設けられており、通常、この係止金具４は貫通孔５に仮付けボルト９を螺合した状態で挿入孔３から挿入される。
【０００７】
そして、図８に示すように、壁パネルＰの内部にて、アンカー部材２を係止金具４の貫通孔５に挿通、連結して、アンカー部材２の後端が壁パネルＰの小口面Ｐ１に至るまでさらに手で押し込む。
この場合のアンカー部材２の先端と貫通孔５との位置合わせは、仮付けボルト９を適宜回転させながら行っていた。
【０００８】
次いで、図９に示すように、棒状部材２ａの先端を、壁パネルＰの小口面Ｐ１に後端を位置しているアンカー部材２の後端に当接させた状態で、前記棒状部材２ａを押すことにより、アンカー部材２を長孔１内の所定位置まで押し込み、その後、棒状部材２ａを長孔１から引き抜く。
【０００９】
さらに、図１０に示すように、係止金具４に螺合されている仮付けボルト９を一旦取り外し、係止金具４のボルト孔６に取付部材７を介してボルト８を螺合してから、最後に取付部材７を建物躯体に係止固定することにより、図５に示す取付構造が完成するのである。
【００１０】
しかし、上記従来の取付構造を形成する過程において、特に図８に示す過程で、壁パネルＰの内部に挿入された係止金具４の貫通孔５の方向が確認できなく、仮付けボルト９による貫通孔５の位置合わせに困難を要する。
また、図８に示す過程において、アンカー部材２がパネル内部に埋設された複数本の補強鉄筋（図示せず）に跨って適切に配置され、かつ、その長さ方向の中央部に係止金具４が係合されていると、期待していたアンカー引き抜き強度が十分に得られるようになる。
しかし、その一方で、長孔１内におけるアンカー部材２の配置あるいは係止金具４の係合位置のどちらか不適切にずれると、期待していた引き抜き強度が得られないこともある。
さらに、仮付けボルト９を係止金具４に螺合し、そして、取付後には螺合を緩めて係止金具４から仮付けボルト９を取り外すという煩雑な操作を必要とするため、余分な手数や時間を要し、作業性に劣るという問題もあった。
【特許文献１】特開平２−１１２５４５号公報
【特許文献２】特開平７−１１３２７１号公報
【発明の開示】
【発明が解決しようとする課題】
【００１１】
本発明は、上述した従来技術における問題点の解決を課題として検討した結果達成されたものである。
したがって、本発明の目的は、作業性に優れるとともに、係止金具およびアンカー部材の挿入部位を正確に位置決めすることができる壁パネル取付用係止金具の挿入用治具およびこの治具を用いて壁パネル内へ係止金具を効率的に取り付ける方法を提供することにある。
【課題を解決するための手段】
【００１２】
上記の目的を達成するために本発明によれば、
壁パネルの小口面からその面と垂直方向に設けられた長孔に棒状のアンカー部材を、また壁パネルの室内側表面から前記長孔と直交する方向に設けられた挿入孔に長ナット状の係止金具をそれぞれ挿入し、前記係止金具の直径方向に設けられた貫通孔に前記アンカー部材を挿入することにより、壁パネルの内部で前記アンカー部材と係止金具とを直交配置するとともに、前記係止金具に取付部材を介してボルトを螺合してなる壁パネルの取付構造において、前記挿入孔に対し前記係止金具を挿入するために使用する治具であって、前記係止金具の外形に合致した形状の中空部を有し、前記係止金具を外側から把持するソケット部と、このソケット部の下方へ開口するように対称して設けられた一対の切り欠き部とからなり、前記各切り欠き部の上方にはこの切り欠き部の位置を示す目印が設けられていることを特徴とする壁パネル取付用係止金具の挿入用治具が提供される。
【００１３】
なお、本発明の壁パネル取付用係止金具の挿入用治具においては、
前記ソケット部の挿入孔に対する挿入側端部に、外側へ向けて延出する延出部が設けられていること、
前記ソケット部の内壁面に、挿入された係止金具の把持を確実にするための突起部が設けられていること、および
前記ソケット部に、軸部を介してハンドル部が設けられていること
が、いずれも好ましい条件として挙げられる。
【００１４】
また、本発明の壁パネルへの係止金具の取付方法は、壁パネルの小口面からその面と垂直方向に設けられた長孔に棒状のアンカー部材を、また壁パネルの室内側表面から前記長孔と直交する方向に設けられた挿入孔に長ナット状の係止金具をそれぞれ挿入し、前記係止金具の直径方向に設けられた貫通孔に前記アンカー部材を挿入することにより、壁パネルの内部で前記アンカー部材と係止金具とを直交配置するとともに、前記係止金具に取付部材を介してボルトを螺合してなる壁パネルの取付構造を構成する際に、まず上記の挿入用治具のソケット部で前記係止金具を把持した状態で、この挿入用治具の切り欠き部と前記係止金具の貫通孔とが壁パネル小口面の長辺と平行になるように、前記係止金具を前記挿入孔内に配置し、次いで前記アンカー部材を前記長孔内へ挿入することにより、前記係止金具の貫通孔に前記アンカー部材を貫通させた後、前記挿入用治具を前記挿入孔から引き抜き、さらに前記壁パネルの室内側表面から、取付部材を介して前記係止金具の貫通孔にボルトを締め込むことを特徴とする。
【発明の効果】
【００１５】
本発明によれば、以下に説明するとおり、作業性に優れるとともに、係止金具およびアンカー部材の挿入部位を正確に位置決めすることができる壁パネル取付用係止金具の挿入用治具を得ることができる。
また、本発明の壁パネルへの係止金具の取付方法によれば、作業者に熟練を要することなく、壁パネル内へ係止金具を効率的に取り付けることができる。
【発明を実施するための最良の形態】
【００１６】
以下、図面を用いて本発明を具体的に説明する。
図１（ａ）、（ｂ）は本発明の壁パネル取付用係止金具の挿入用治具の一例を示す正面図、図２（ａ）、（ｂ）は図１の挿入用治具の使用態様を示す正面図、  図３（ａ）、（ｂ）は本発明の壁パネル取付用係止金具の挿入用治具の他の例を示す正面図、図４は図３（ｂ）の挿入用治具を用いた壁パネルへの取付過程を示す斜視説明図である。
【００１７】
ここで、図１（ａ）の挿入用治具は、円筒状のソケット部１１を基本構造としており、これは係止金具が丸ナットの場合に使用されるものである。
また、図１（ｂ）の挿入用治具は、六角筒状のソケット部１１を基本構造としており、これは係止金具が六角ナットの場合に使用されるものである。
【００１８】
図１に示すように、本発明の挿入用治具１０は、係止金具の外形に合致した形状の中空部１６を有し、係止金具を外側から把持するソケット部１１と、このソケット部１１の下方へ開口するように対称して設けられた一対の切り欠き部１２とからなり、前記各切り欠き部１２の上方にはこの切り欠き部１２の位置を示す目印１３が設けられている。
そして、そのソケット部１１で係止金具を外側から把持し、この係止金具を壁パネルの長孔へと挿入するために使用されるものである。
【００１９】
挿入用治具１０のソケット部１１は、中空部１６が、使用する係止金具の外形に合致した形状を有しており、係止金具が丸ナットの場合には円筒状、また六角ナットの場合には六角筒状となっている。
そして、このソケット部１１の高さは、使用する壁パネルの厚みに応じて適宜の寸法が選択されるが、通常の１００ｍｍ厚みの壁パネルの場合には、９０ｍｍの高さを、また１５０ｍｍ厚みの壁パネルの場合には、１２０ｍｍの高さを、それぞれ選択するのが好ましい。
【００２０】
ここで、図１に示すように、挿入用治具１０は、そのソケット部１１に下方へ開口するように一対の切り欠き部１２が対称して設けられており、これら各切り欠き部１２の上方にはこの切り欠き部１２の位置を示す目印１３が設けられていることが必要である。
すなわち、係止金具にソケット部１１が嵌合されていたとしても、一対の切り欠き部１２と係止金具の貫通孔とを対応させて、切り欠き部１２から係止金具の貫通孔を覗かせることにより、壁パネル内に位置する係止金具の貫通孔の方向をパネルの長孔から容易に確認することができ、これにより係止金具およびアンカー部材の挿入部位を正確に位置決めすることができる。
さらに、各切り欠き部１２の上方に目印１３を設けておくことにより、壁パネル内にある切り欠き部１２の位置を外部から容易に確認することができるため、従来の仮付けボルトに比較して作業性が飛躍的に改良されたものとなる。
【００２１】
また、ソケット部１１の下方端部に外側へ向けて延出する延出部１４が設けられていると、係止金具がソケット部１１に入り易くなり好ましい。延出部１４の態様としては、先拡がりテーパーあるいは折り返しであることが好ましい。
【００２２】
さらに、ソケット部１１の中空部１６の内壁面には、ここに挿入された係止金具の把持を確実にするための突起部１５が設けられていることが好ましい。この突起部１５の態様としては、爪部、凸部、筋部などが挙げられ、これらは複数設けられることが望ましい。凸部はカシメによる方法で形成すると良い。
また、中空部１６の内壁面にラバーなどを貼着して、摩擦により係止金具４が滑り落ち難くすると良い。
さらに、係止部材４側の表面に凹部または溝部を設けて前記爪部や凸部がより係止されるようにしておくと、ソケット部１１からより脱落し難くなり好ましい。
【００２３】
図１（ａ）、（ｂ）に示す構造の挿入用治具を使用する際は、それぞれ図２（ａ）、（ｂ）に示すように、ペンチ１７などの把持具でソケット部１１を上方または側方から挟んだ状態で挿入孔へ挿入する。
【００２４】
また、図３（ａ）、（ｂ）に示す実施例のように、ソケット部１１に、鉄鋼棒材からなる軸部１８を介して、例えばプラスチック製のハンドル部１９を設け、係止金具にソケット部１１を被せた状態で、ハンドル部１９を操作することにより、係止金具を挿入孔へ挿入することもできる。
この場合は、軸部１８またはハンドル部１９の一部に、切り欠き部１２の位置を示す目印を設けることができ、例えば、厚い壁パネルの内部にソケット部１１が隠れてしまったとしても、切り欠き部１２の位置を外部から確認できる。
【００２５】
上記の構成からなる本発明の挿入用治具１０を用いて、壁パネルへ係止金具を取付る際は、図７〜図１０に示す過程で仮付けボルト９の代わりに挿入用治具１０を使用すれば良い。
すなわち、まず壁パネルＰの小口面Ｐ１からその面と垂直方向に長孔１を、また壁パネルＰの室内側表面Ｐ２から前記長孔１と直交する方向に挿入孔３を、それぞれ形成する。
【００２６】
次に、挿入用治具１０のソケット部１１で係止金具４を把持した状態で、この挿入用治具１０の切り欠き部１２と係止金具４の貫通孔５とが壁パネルＰ小口面Ｐ１の長辺と平行になるようにした状態、つまり切り欠き部１２と貫通孔５とを合致させた状態で、把持具またはハンドルを操作しつつ、係止金具４を挿入孔３内に配置し、次いでアンカー部材２を長孔１内へ挿入して、係止金具４の貫通孔５にアンカー部材２を貫通させる。  この場合は、挿入用治具１０の切り欠き部１２の上方または軸部あるいはハンドルの一部に設けられた目印１３により、切り欠き部１２の位置を明確に把握することができるため、係止金具４の貫通孔５へのアンカー部材２の貫通操作を容易に行うことができる。
【００２７】
アンカー部材２の長孔１内への挿入は、図９に示すように、棒状部材２ａを用いて押し込んでもよいが、この場合には、先端にテーパー状の把持具を備えた挿入用治具や、先端の把持部と、軸部と、ハンドル部とを有し、さらには把持部の位置決めをするストッパーを軸部に備えた挿入用治具を用いることにより、より一層優れた作業性のもとに、取付構造を効率的に完成することができる。
【００２８】
次いで、係止金具４から挿入用治具１０を取り外すが、この作業は螺合を緩める作業を必要とせずに、挿入用治具１０を引き抜くだけで簡便に行うことができて効率的である。
【００２９】
そして、壁パネルＰの室内側表面Ｐ２から、取付部材７を介して係止金具４のボルト孔６にボルト８を締め込むことにより、壁パネルＰと取付部材７とが取付固定され、図４に示す取付構造が得られる。
最後に、棒状部材２ａなどを長孔１から引き抜き、取付部材７を建物躯体に係止固定することにより取付構造が完成するのである。
【００３０】
これらの過程によれば、挿入用治具のソケット部による係止金具把持力に優れるとともに、係止金具への着脱が容易であり、かつ係止金具とアンカー部材との挿入部位を正確に位置決めすることができるため、迅速かつ高精度に取付構造を施工することができるばかりか、施工の効率化とコストの低減を図ることができる。
【産業上の利用可能性】
【００３１】
本発明によれば、作業性に優れるとともに、係止金具およびアンカー部材の挿入部位を正確に位置決めすることができる壁パネル取付用係止金具の挿入用治具が得られ、また壁パネル内へ係止金具を効率的に取り付けることができるため、壁パネルを用いる建築分野へ貢献するところが大きいといえる。
【図面の簡単な説明】
【００３２】
【図１】（ａ）、（ｂ）は本発明の壁パネル取付用係止金具の挿入用治具の一例を示す正面図である。
【図２】（ａ）、（ｂ）は図１の挿入用治具の使用態様を示す正面図である。
【図３】（ａ）、（ｂ）は本発明の壁パネル取付用係止金具の挿入用治具の他の例を示す正面図である。
【図４】図１の挿入用治具を用いた壁パネルへのアンカー部材の取付過程を示す斜視説明図である。
【図５】従来の壁パネルへのアンカー部材の取付構造を示す斜視説明図である。
【図６】図４の取付構造を形成する過程を示す斜視説明図である。
【図７】図４の取付構造を形成する過程を示す斜視説明図である。
【図８】図４の取付構造を形成する過程を示す斜視説明図である。
【図９】図４の取付構造を形成する過程を示す斜視説明図である。
【図１０】図４の取付構造を形成する過程を示す斜視説明図である。
【符号の説明】
【００３３】
Ｐ      壁パネル
Ｐ１    小口面
Ｐ２    室内側表面
１      長孔
２      アンカー部材
２ａ    棒状部材
３      挿入孔
４      係止金具
５      貫通孔
６      ボルト孔
７      取付部材
８      ボルト
９      仮付けボルト
１０      挿入用治具
１１      ソケット部
１２      切り欠き部
１３      目印
１４      延出部
１５      突起部
１６      中空部
１７      ペンチ
１８      軸部
１９      ハンドル部
【図１】
2006299590.tif 000003
【図２】
2006299590.tif 000004
【図３】
2006299590.tif 000005
【図４】
2006299590.tif 000006
【図５】
2006299590.tif 000007
【図６】
2006299590.tif 000008
【図７】
2006299590.tif 000009
【図８】
2006299590.tif 000010
【図９】
2006299590.tif 000011
【図１０】
2006299590.tif 000012